【事件の表示】
　特願２０１２−２８８４８０「ディスプレイ装置、それを制御するための遠隔制御装置および制御方法」拒絶査定不服審判事件〔平成２５年　７月１８日出願公開、特開２０１３−１４０３６２〕について、次のとおり審決する。
【結　論】
　本件審判の請求は、成り立たない。
【理　由】
　 
第１　手続の経緯  
　  
　本願は、平成２４年１２月２８日（パリ条約による優先権主張　２０１１年１２月２９日　韓国　２０１１年１２月２９日　韓国　２０１１年１２月２９日　韓国　２０１２年４月２０日　韓国　２０１２年１０月１２日　韓国）に出願したものであって、平成２５年１１月２１日付けの拒絶理由通知に対して平成２６年２月２４日付けで手続補正がなされたが、平成２６年８月１３日付けで拒絶査定がなされ、これに対し、平成２６年１２月１５日付けで拒絶査定不服審判が請求されると同時に手続補正がなされたものである。
　
　
第２　平成２６年１２月１５日付けの手続補正についての補正却下の決定  
　  
［補正却下の決定の結論］  
　平成２６年１２月１５日付けの手続補正（以下「本件補正」という。）を却下する。
　
［理由］  
　
１　本件補正  
　
　本件補正は、特許請求の範囲について、本件補正前に、
「【請求項１】
　複数の映像フレームを用いて複数のコンテンツビューを出力するディスプレイ部と、
　遠隔制御装置から制御命令を受信する遠隔制御信号受信部と、
　前記遠隔制御信号から前記複数のコンテンツビューのうちの一つのコンテンツビューを制御するための制御命令が受信されると、受信された制御命令が他のコンテンツビューに影響を与えるか否かに応じて、前記制御命令に対応する制御動作または前記制御命令の入力事実を報知するメッセージを前記他のコンテンツビューに表示する動作を選択的に行う制御部と
　を含むディスプレイ装置。」
とあったところを、  
　
「【請求項１】
　複数の映像フレームを用いて複数のコンテンツビューを出力するディスプレイ部と、
　遠隔制御装置から制御命令を受信する遠隔制御信号受信部と、
　前記遠隔制御信号から前記複数のコンテンツビューのうちの一つのコンテンツビューを制御するための制御命令が受信されると、受信された制御命令が他のコンテンツビューに影響を与えるか否かに応じて、前記制御命令に対応する制御動作または前記制御命令の入力事実を報知するメッセージを前記他のコンテンツビューに表示する動作を選択的に行う制御部と
　を
含み、
　
前記制御部は、前記制御命令が受信された場合、前記受信された制御命令が前記他のコンテンツビューに影響を及ぼす場合でも、前記制御命令に同意する応答信号が受信されると、前記制御命令に対応する制御動作を行うことを特徴とする
とすることを含むものである（下線は補正箇所を示す。）。  
　
　本件補正について検討する。  
　
　本件補正前の請求項１の「制御部」について、「前記制御部は、前記制御命令が受信された場合、前記受信された制御命令が前記他のコンテンツビューに影響を及ぼす場合でも、前記制御命令に同意する応答信号が受信されると、前記制御命令に対応する制御動作を行うこと」と限定するものである。
　
　よって、本件補正は、本件補正前の請求項１に記載された発明を特定するために必要な事項を限定するものであるから、特許法第１７条の２第５項第２号に掲げる特許請求の範囲の減縮を目的とするものに該当する。
　
　そこで、本件補正後における特許請求の範囲に記載されている事項により特定される請求項１に係る発明（以下「本願補正発明」という。）が特許出願の際独立して特許を受けることができるものであるか（特許法第１７条の２第６項において準用する同法第１２６条第７項に規定する要件を満たすか）について以下に検討する。
　
　
２　引用例及びその記載事項  
　  
（１）原査定の拒絶の理由に引用され、本願の優先権主張の日前に頒布された刊行物である特開２００８−１１６７９２号公報（平成２０年５月２２日公開、以下「引用例１」という。）には、図面とともに以下の事項が記載されている（なお、下線は当審で付した。）。　  
ａ「【０００１】
  
本発明は、デュアルビュー表示における画面を介して視聴者同士で相互に情報を伝達する表示制御装置
に関する。
ｂ「【０００９】
  このような場合、視聴者Ａ又は視聴者Ｂがたとえば電源オフやバックライトの調光（液晶表示パネルの場合）等の遠隔操作を行うことが想定されるが、このような
電源オフやバックライトの調光（液晶表示パネルの場合）等は視聴者Ａ及び視聴者Ｂが視聴している映像に対して共有する表示制御に関わるものである。」
ｃ「【００１３】
  
本発明の表示制御装置
によれば、
一方の視聴者が行った遠隔操作が他方の視聴者が視聴している映像に対して共有する表示制御に関わるものであるとき、その内容を他方の視聴者に知らせることができ
る。
ｄ「【実施例】
【００１５】
  以下、本発明の実施例の詳細について説明する。図１は、
本発明の表示制御装置をテレビジョン受像機に適用した場合の一実施例
【００１６】
  図１に示すテレビジョン受像機１０は、後述の表示パネル１７に設けられている視差バリア（光学系分離素子）１７Ａにより、シングルビュー表示又はデュアルビュー表示を可能とするものである。
【００１７】
  ここで、シングルビュー表示とは、第１映像データ又は第２映像データのいずれか一方に応じた映像を視聴者Ａ及び視聴者Ｂが共に視聴することができるようにした表示モードである。一方、
デュアルビュー表示とは、
視聴者Ａは第１映像データに応じた映像のみを視聴することができ、視聴者Ｂは第２映像データに応じた映像のみを視聴することができるようにした表示モードである。
ｅ「【００１９】
  また、
テレビジョン受像機１０は、リモコン受信器１１、コード判別制御部１２、ＯＳＤコントローラ１３、画像処理制御部１４、
表示パネル１７を備えている。
【００２０】
  
リモコン受信器１１は、視聴者Ａが利用するリモコン送信機２０Ａ又は視聴者Ｂが利用するリモコン送信機２０Ｂからのリモコン信号を受信する。
【００２１】
  
コード判別制御部１２は、
そのリモコン信号のリモコンコードを判別して画像処理制御部１４による画像処理を制御する。
ｆ「【００２４】
  
ここで、コード判別制御部１２は、たとえば図２に示すようなデュアルビュー表示での共有機能制御に該当する共有項目を有する共有機能制御項目テーブル１２ａを保持している。この
共有項目は、視聴者Ａ及び視聴者Ｂが視聴している映像に対して共有する表示制御に関わるものである。
【００２５】
  また、コード判別制御部１２は、リモコン送信機２０Ａ又はリモコン送信機２０Ｂから受け取ったリモコン信号が共有機能制御項目テーブル１２ａの共有項目に該当するリモコンコードである場合、視聴者Ａ及び視聴者Ｂが視聴している画面にそのリモコンコードの内容をＯＳＤ表示させるようにＯＳＤコントローラ１３を制御する。
【００２６】
  なお、
コード判別制御部１２は、リモコン送信機２０Ａ又はリモコン送信機２０Ｂから受け取ったリモコン信号が
共有項目に該当するリモコンコードである場合、リモコン送信機２０Ａ又はリモコン送信機２０Ｂを操作していない視聴者Ａ又は視聴者Ｂが視聴している画面にそのリモコンコードの内容をＯＳＤ表示させるようにＯＳＤコントローラ１３を制御してもよい。
【００２７】
  また、コード判別制御部１２は、リモコン送信機２０Ａ又はリモコン送信機２０Ｂから受け取ったリモコン信号が共有機能制御項目テーブル１２ａの
共有項目に該当しない、たとえば選局等のリモコンコードである場合、リモコン送信機２０Ａ又はリモコン送信機２０Ｂを操作した視聴者Ａ又は視聴者Ｂが視聴している画面に選局等のリモコンコードの内容をＯＳＤ表示させるようにＯＳＤコントローラ１３を制御する。
【００２８】
  上述した
共有項目としては、たとえば電源、バックライト
等がある。
ｇ「【００３３】
  すなわち、メモリ（Ａ）及びメモリ（Ｂ）の内容は、上述したように、
視聴者Ａ及び視聴者Ｂが視聴している映像に対して共有する表示制御に関わるものであり、
たとえば視聴者Ａが使用するリモコン送信機２０Ａからのリモコン信号のリモコンコードが
視聴者Ｂが視聴している映像に影響を及ぼすと判断し、
この場合、
視聴者Ｂが視聴している画面にのみそのリモコン信号の内容をＯＳＤ表示させるようにＯＳＤコントローラ１３を制御するようにしてもよい。
ｈ「【００６５】
  これにより、たとえば視聴者Ａが行った遠隔操作が視聴者Ｂが視聴している映像に対して共有する表示制御に関わるものであるとき、その内容を視聴者Ｂに知らせることができ、視聴者Ｂが視聴している映像の表示状態等が変更されても違和感を覚えてしまうようなことをなくすことができる。」
ｉ「【００７０】
  
また、
たとえば視聴者Ａによるリモコン送信機２０Ａからのリモコン信号のリモコンコードが
共有項目のいずれかに該当すると判断された場合、
ＯＳＤ表示の内容に視聴者Ａの要求を許可するかどうかの応答内容を選択できる選択項目（１．Ｙｅｓ、２．Ｎｏ等）が表示されるようにし、視聴者Ｂがリモコン送信機２０Ｂの所定のボタン
を操作して「１．Ｙｅｓ」が選択された場合に視聴者Ａの要求に応じた画像処理が行われるようにしてもよい。
ア　上記ａの「【０００１】本発明は、デュアルビュー表示における画面を介して視聴者同士で相互に情報を伝達する表示制御装置」との記載、上記ｄの「【００１５】本発明の表示制御装置をテレビジョン受像機に適用した場合の一実施例」との記載から、引用例１には、「デュアルビュー表示における画面を介して視聴者同士で相互に情報を伝達する表示制御装置であって、表示制御装置は、一実施例として、テレビジョン受像機に適用される」ものであるということができる。
イ　上記ｄ（【００１７】）の記載から、引用例１には、「デュアルビュー表示とは、視聴者Ａは第１映像データに応じた映像のみを視聴することができ、視聴者Ｂは第２映像データに応じた映像のみを視聴することができるようにした表示モードである」ことが記載されている。
ウ　上記ｄ（【００１５】）の記載から、引用例１には、「表示制御装置は、一実施例として、テレビジョン受像機に適用される」ことが記載されている。
エ　上記ｅ（【００１９】）の記載から、引用例１には、「テレビジョン受像機１０は、リモコン受信器１１、コード判別制御部１２、ＯＳＤコントローラ１３、画像処理制御部１４、表示パネル１７を備える」ことが記載されている。
オ　上記ｅ（【００２０】）の記載から、引用例１には、「リモコン受信器１１は、視聴者Ａが利用するリモコン送信機２０Ａ又は視聴者Ｂが利用するリモコン送信機２０Ｂからのリモコン信号を受信する」ことが記載されている。
カ　上記ｅ（【００２１】）の記載から、引用例１には、「コード判別制御部１２は、そのリモコン信号のリモコンコードを判別して画像処理制御部１４による画像処理を制御する」ことが記載されている。
キ　上記ｆの「【００２４】ここで、コード判別制御部１２は、たとえば図２に示すようなデュアルビュー表示での共有機能制御に該当する共有項目を有する共有機能制御項目テーブル１２ａを保持している。この‥‥‥共有項目は、視聴者Ａ及び視聴者Ｂが視聴している映像に対して共有する表示制御に関わるものである。」との記載において、共有項目は、上記ｂの「【０００９】‥‥‥電源オフやバックライトの調光（液晶表示パネルの場合）等は視聴者Ａ及び視聴者Ｂが視聴している映像に対して共有する表示制御に関わるものである。」との記載及び上記ｆの「【００２８】‥‥‥共有項目としては、たとえば電源、バックライト‥‥‥等がある。」との記載から、電源オフ、バックライトの調光等に関するものといえるから、引用例１には「ここで、コード判別制御部１２は、デュアルビュー表示での共有機能制御に該当する共有項目を有する共有機能制御項目テーブル１２ａを保持し、この共有項目は、電源オフ、バックライトの調光等の視聴者Ａ及び視聴者Ｂが視聴している映像に対して共有する表示制御に関わるものである」ことが記載されているということができる。
ク　上記ｆの「【００２６】‥‥‥コード判別制御部１２は、リモコン送信機２０Ａ又はリモコン送信機２０Ｂから受け取ったリモコン信号が‥‥‥共有項目に該当するリモコンコードである場合、リモコン送信機２０Ａ又はリモコン送信機２０Ｂを操作していない視聴者Ａ又は視聴者Ｂが視聴している画面にそのリモコンコードの内容をＯＳＤ表示させるようにＯＳＤコントローラ１３を制御してもよい。‥‥‥」との記載において、共有項目は、電源オフ、バックライトの調光等に関するものといえ（上記キ）、また、上記ｇの「【００３３】‥‥‥視聴者Ａ及び視聴者Ｂが視聴している映像に対して共有する表示制御に関わるものであり、‥‥‥たとえば視聴者Ａが使用するリモコン送信機２０Ａからのリモコン信号のリモコンコードが‥‥‥視聴者Ｂが視聴している映像に影響を及ぼすと判断し、‥‥‥この場合、‥‥‥視聴者Ｂが視聴している画面にのみそのリモコン信号の内容をＯＳＤ表示させるようにＯＳＤコントローラ１３を制御するようにしてもよい。」との記載から、リモコン信号の内容を視聴者Ｂが視聴している画面にのみにＯＳＤ表示させることが記載されているから、引用例１には、「コード判別制御部１２は、リモコン送信機２０Ａ又はリモコン送信機２０Ｂから受け取ったリモコン信号が、電源オフ、バックライトの調光等の共有項目に該当するリモコンコードである場合、リモコン送信機２０Ａ又はリモコン送信機２０Ｂを操作していない視聴者Ａ又は視聴者Ｂが視聴している画面のみにそのリモコンコードの内容をＯＳＤ表示させるようにＯＳＤコントローラ１３を制御する」ことが記載されているということができる。
ケ　上記ｆ（【００２７】）の記載から、引用例１には、「共有項目に該当しない、たとえば選局等のリモコンコードである場合、リモコン送信機２０Ａ又はリモコン送信機２０Ｂを操作した視聴者Ａ又は視聴者Ｂが視聴している画面に選局等のリモコンコードの内容をＯＳＤ表示させるようにＯＳＤコントローラ１３を制御する。」ことが記載されている。
コ　上記ｉ（【００７０】）の記載から、引用例１には「また、たとえば視聴者Ａによるリモコン送信機２０Ａからのリモコン信号のリモコンコードが共有項目のいずれかに該当すると判断された場合、ＯＳＤ表示の内容に視聴者Ａの要求を許可するかどうかの応答内容を選択できる選択項目（１．Ｙｅｓ、２．Ｎｏ等）が表示されるようにし、視聴者Ｂがリモコン送信機２０Ｂの所定のボタンを操作して「１．Ｙｅｓ」が選択された場合に視聴者Ａの要求に応じた画像処理が行われるようにする」ことが記載されているということができる。
　したがって、上記引用例１に記載された事項、図面の記載、及び上記アないしコを総合すると、引用例１には、次の事項が記載されている（以下、引用発明という。）。
「デュアルビュー表示における画面を介して視聴者同士で相互に情報を伝達する表示制御装置であって、
　デュアルビュー表示は、たとえば視聴者Ａは第１映像データに応じた映像のみを視聴することができ、視聴者Ｂは第２映像データに応じた映像のみを視聴することができるようにした表示モードであり、
 　表示制御装置は、一実施例として、テレビジョン受像機に適用され、
　テレビジョン受像機１０は、リモコン受信器１１、コード判別制御部１２、ＯＳＤコントローラ１３、画像処理制御部１４、表示パネル１７を備え、
　リモコン受信器１１は、視聴者Ａが利用するリモコン送信機２０Ａ又は視聴者Ｂが利用するリモコン送信機２０Ｂからのリモコン信号を受信し、
　コード判別制御部１２は、そのリモコン信号のリモコンコードを判別して画像処理制御部１４による画像処理を制御し、
　ここで、コード判別制御部１２は、デュアルビュー表示での共有機能制御に該当する共有項目を有する共有機能制御項目テーブル１２ａを保持し、この共有項目は、たとえば電源オフ、バックライトの調光等の視聴者Ａ及び視聴者Ｂが視聴している映像に対して共有する表示制御に関わるものであり、
　コード判別制御部１２は、リモコン送信機２０Ａ又はリモコン送信機２０Ｂから受け取ったリモコン信号が、電源オフ、バックライトの調光等の共有項目に該当するリモコンコードである場合、リモコン送信機２０Ａ又はリモコン送信機２０Ｂを操作していない視聴者Ａ又は視聴者Ｂが視聴している画面のみにそのリモコンコードの内容をＯＳＤ表示させるようにＯＳＤコントローラ１３を制御し、
　共有項目に該当しない、たとえば選局等のリモコンコードである場合、リモコン送信機２０Ａ又はリモコン送信機２０Ｂを操作した視聴者Ａ又は視聴者Ｂが視聴している画面に選局等のリモコンコードの内容をＯＳＤ表示させるようにＯＳＤコントローラ１３を制御し、
　また、視聴者Ａによるリモコン送信機２０Ａからのリモコン信号のリモコンコードが共有項目のいずれかに該当すると判断された場合、ＯＳＤ表示の内容に視聴者Ａの要求を許可するかどうかの応答内容を選択できる選択項目（１．Ｙｅｓ、２．Ｎｏ等）が表示されるようにし、視聴者Ｂがリモコン送信機２０Ｂの所定のボタンを操作して「１．Ｙｅｓ」が選択された場合に視聴者Ａの要求に応じた画像処理が行われるようにする、
　表示制御装置。」
（２）原査定の拒絶の理由に引用され、本願の優先権主張の日前に頒布された刊行物である特開２０１１−１１８３５１号公報（平成２３年６月１６日公開、以下「引用例２」という。）には、図面とともに以下の事項が記載されている（なお、下線は当審で付した。）。
「【０００１】
  本発明は、
シャッタ式眼鏡を用いて複数人で映像視聴が可能な映像表示装置
に関する。
　
「【００１３】
  映像時分割出力処理部１０４は、制御部Ａ１０２の制御によりメモリ１０３から読み出した映像データを時分割処理して表示部１０５に出力する。
複数人で映像を視聴できるように、映像データは表示する映像コンテンツの数に応じたフレームレートで時分割多重化された上で、表示部１０５に出力される。
【００１４】
  表示部１０５は、映像時分割出力処理部１０４により生成された、時分割多重化処理の施された映像データを受けて、変更後のフレームレートに従ったリフレッシュレートで映像表示を行う。
  受信部Ａ１０６及び送信部Ａ１０８は、後述するシャッタ式眼鏡２００ａ乃至ｃとの間で赤外光による無線通信インターフェース部を構成している。送信部Ａ１０８は、各シャッタ式眼鏡の受信部Ｂ２０１に対し、シャッタ駆動部２０３を制御するためのシャッタ制御信号と、音声信号を送信する。
【００１５】
  次に、シャッタ式眼鏡２００ａについて説明する。なおシャッタ式眼鏡２００ｂ、２００ｃについてもシャッタ式眼鏡２００ａと同じ構成であるため、それらの説明は省略する。
各シャッタ式眼鏡の動作は映像表示装置１００の動作と連動して制御される。シャッタ式眼鏡２００ａは、時分割制御を実現するためのシャッタ部２０４と、
操作を行うための操作入力部２０７を備える。
  受信部Ｂ２０１は、映像表示装置１００の送信部Ａ１０８からシャッタ制御信号と音声信号を受信し、制御部Ｂ２０２に送る。
【００１６】
  シャッタ式眼鏡２００ａを制御する制御部Ｂ２０２は、操作入力部２０７からの電源ＯＮ／ＯＦＦボタンの操作信号に従って、シャッタ式眼鏡２００ａの電源制御を行う。また制御部Ｂ２０２は、映像表示装置１００との通信において、上記した固有のＩＤを用いて自身に向けて送出された信号を選別する。また送信時に制御部Ｂ２０２は、固有のＩＤをデータに付加することにより、送信元がどの眼鏡をかけた使用者であるかを映像表示装置１００に通知する。制御部Ｂ２０２は、受信部Ｂ２０１が受信したシャッタ制御信号をシャッタ駆動部２０３に伝え、受信部Ｂ２０１で受信した音声データを音声復号部２０５に伝える。操作入力部２０７を用いた使用者操作情報、例えば眼鏡の電源ＯＮ／ＯＦＦ情報、放送チャンネルの選局、入力切り替えの操作情報は、制御部Ｂ２０２から送信部Ｂ２０８を介して映像表示装置１００に無線伝送される。
【００１７】
  シャッタ駆動部２０３は、制御部Ｂ２０２からのシャッタ制御信号に従ってシャッタ部２０４を駆動する。
シャッタ部２０４は、
表示部１０５の表示動作に同期して、シャッタ式眼鏡２００ａをかけた使用者が選択している映像コンテンツのみを見られるように動作する。
【００１８】
  音声復号部２０５は、制御部Ｂ２０２からの符号化された音声データをアナログ音声データに復号する。音声復号部２０５は操作入力部２０７からのボリューム調整の操作指示に応じて音量調整を行う。ヘッドホン２０６は、音声復号部２０５から出力されるアナログ音声信号を音に変換して出力する。
  
操作入力部２０７は、使用者が操作に用いる複数の操作ボタンやスイッチを備える。例えば、
放送受信のための放送の選局用ボタン、外部入力端子の入力切り替え用ボタン、音量調整用ボタン等が設けられている。
  送信部Ｂ２０８は、シャッタ式眼鏡２００ａの電源ＯＮ／ＯＦＦ状態を示す情報、
放送チャンネルの選局操作情報、入力切り替えの操作情報等を、映像表示装置１００
に対して無線送信する。
　上記記載から、次の事項が記載されているということができる。
　「シャッタ式眼鏡を用いて複数人で映像視聴が可能な映像表示装置であって、（【０００１】）
  複数人で映像を視聴できるように、映像データは表示する映像コンテンツの数に応じたフレームレートで時分割多重化された上で、表示部１０５に出力され、（【００１３】）
  各シャッタ式眼鏡の動作は映像表示装置１００の動作と連動して制御され、シャッタ式眼鏡２００ａは、時分割制御を実現するためのシャッタ部２０４と、操作を行うための操作入力部２０７を備え、（【００１５】）
  シャッタ部２０４は、表示部１０５の表示動作に同期して、シャッタ式眼鏡２００ａをかけた使用者が選択している映像コンテンツのみを見られるように動作する、（【００１７】）
　映像表示装置。」
３　対比  
　  
　本願補正発明と引用発明とを対比する。
　  
（１）引用発明は「デュアルビュー表示における画面を介して視聴者同士で相互に情報を伝達する表示制御装置であって、」「表示制御装置は、一実施例として、テレビジョン受像機に適用され」るものであるから、「表示制御装置」は「ディスプレイ装置」に適用されるということができる。
　ここで、引用発明の「デュアルビュー表示」は、本願補正発明の「複数のコンテンツビューを出力する」ものに相当し、また、「表示制御装置」が適用された「ディスプレイ装置」と、本願補正発明の「複数の映像フレームを用いて複数のコンテンツビューを出力するディスプレイ部」とは、「複数のコンテンツビューを出力するディスプレイ部」を有する点で共通する。
（２）引用発明の「リモコン受信器１１」は、「視聴者Ａが利用するリモコン送信機２０Ａ又は視聴者Ｂが利用するリモコン送信機２０Ｂからのリモコン信号を受信し、」「コード判別制御部１２は、そのリモコン信号のリモコンコードを判別して画像処理制御部１４による画像処理を制御」するものであって、「リモコン送信機」は、本願補正発明の「遠隔制御装置」に相当する。
　また、引用発明は、リモコン信号のリモコンコードを判別して画像処理を制御するものであるから、リモコン信号のリモコンコードに制御命令が含まれることは明らかであるといえる。したがって、引用発明の「リモコン受信器１１」は、本願補正発明の「遠隔制御装置から制御命令を受信する遠隔制御信号受信部」に相当する。
（３）引用発明は、「デュアルビュー表示は、たとえば視聴者Ａは第１映像データに応じた映像のみを視聴することができ、視聴者Ｂは第２映像データに応じた映像のみを視聴することができるようにした表示モードであ」って、ここで、「リモコン受信器１１」は、「視聴者Ａが利用するリモコン送信機２０Ａ又は視聴者Ｂが利用するリモコン送信機２０Ｂからのリモコン信号を受信し、」「コード判別制御部１２は、そのリモコン信号のリモコンコードを判別して画像処理制御部１４による画像処理を制御」するものであるから、「リモコン送信機２０Ａ」、「リモコン送信機２０Ｂ」からのリモコン信号は、それぞれ、視聴者Ａ、視聴者Ｂが視聴している映像に対する表示制御のためのものであるということができる。
　したがって、「視聴者Ａが利用するリモコン送信機２０Ａ又は視聴者Ｂが利用するリモコン送信機２０Ｂからのリモコン信号を受信」することは、視聴者Ａ、視聴者Ｂが視聴している映像に対する表示制御のうちの一つの映像に対する表示制御を行うための制御命令が受信されることということができる。
  そして、視聴者Ａ、視聴者Ｂが視聴している映像に対する表示は、「コンテンツビュー」と捉えることができるから、引用発明の「視聴者Ａが利用するリモコン送信機２０Ａ又は視聴者Ｂが利用するリモコン送信機２０Ｂからのリモコン信号を受信」することは、本願補正発明の「前記遠隔制御信号から前記複数のコンテンツビューのうちの一つのコンテンツビューを制御するための制御命令が受信される」ことに相当する。
（４）引用発明は、「コード判別制御部１２は、デュアルビュー表示での共有機能制御に該当する共有項目を有する共有機能制御項目テーブル１２ａを保持し、この共有項目は、たとえば電源オフ、バックライトの調光等の視聴者Ａ及び視聴者Ｂが視聴している映像に対して共有する表示制御に関わるものであり、コード判別制御部１２は、リモコン送信機２０Ａ又はリモコン送信機２０Ｂから受け取ったリモコン信号が、電源オフ、バックライトの調光等の共有項目に該当するリモコンコードである場合、リモコン送信機２０Ａ又はリモコン送信機２０Ｂを操作していない視聴者Ａ又は視聴者Ｂが視聴している画面のみにそのリモコンコードの内容をＯＳＤ表示させるようにＯＳＤコントローラ１３を制御し、共有項目に該当しない、たとえば選局等のリモコンコードである場合、リモコン送信機２０Ａ又はリモコン送信機２０Ｂを操作した視聴者Ａ又は視聴者Ｂが視聴している画面に選局等のリモコンコードの内容をＯＳＤ表示させるようにＯＳＤコントローラ１３を制御し、これにより、たとえば視聴者Ａが行った遠隔操作が視聴者Ｂが視聴している映像に対して共有する表示制御に関わるものであるとき、その内容を視聴者Ｂに知らせることができ」るものである。
　ここで、「デュアルビュー表示での共有機能制御に該当する共有項目」は、「電源オフ、バックライトの調光等の視聴者Ａ及び視聴者Ｂが視聴している映像に対して共有する表示制御に関わる」ものであり、共有項目に該当しないものとしては、「選局等」があって、リモコンコードが、共有項目に該当するか否かに応じて、リモコン送信機２０Ａ又はリモコン送信機２０Ｂを操作していない視聴者Ａ又は視聴者Ｂが視聴している画面のみにリモコンコードの内容をＯＳＤ表示させるか否かを制御するものということができる。　したがって、リモコンコードが、共有項目に該当するか否かに応じることは、本願補正発明の「受信された制御命令が他のコンテンツビューに影響を与えるか否かに応じ」ることに相当する。
　また、電源オフやバックライトの調光等といったリモコンコードの内容をＯＳＤ表示させるにあたり、電源オフやバックライトの調光等と行った制御に対応する制御動作を報知するようにしたり、制御命令の入力事実を報知するメッセージとしたりすることは常套手段であり、また、このような制御を行うために「制御部」を有することは明らかであるから、引用発明の、「リモコン送信機２０Ａ又はリモコン送信機２０Ｂを操作していない視聴者Ａ又は視聴者Ｂが視聴している画面のみにリモコンコードの内容をＯＳＤ表示させるようにＯＳＤコントローラ１３を制御」する制御部は、本願補正発明の「前記制御命令に対応する制御動作または前記制御命令の入力事実を報知するメッセージを前記他のコンテンツビューに表示する動作を選択的に行う制御部」に相当する。
（５）引用発明の「また、たとえば視聴者Ａによるリモコン送信機２０Ａからのリモコン信号のリモコンコードが共有項目のいずれかに該当すると判断された場合、ＯＳＤ表示の内容に視聴者Ａの要求を許可するかどうかの応答内容を選択できる選択項目（１．Ｙｅｓ、２．Ｎｏ等）が表示されるようにし、視聴者Ｂがリモコン送信機２０Ｂの所定のボタンを操作して「１．Ｙｅｓ」が選択された場合に視聴者Ａの要求に応じた画像処理が行われる」ように制御することは、視聴者Ａによるリモコン送信機２０Ａからのリモコン信号のリモコンコードが、共有項目のいずれかに該当すると判断された場合であっても、視聴者Ｂがリモコン送信機２０Ｂの所定のボタンを操作して「１．Ｙｅｓ」という同意が選択されると、視聴者Ａによるリモコン送信機２０Ａからのリモコン信号のリモコンコードに応じた制御がなされるものといえる。
　そして、このような制御を行うために「制御部」を有することは明らかであるから、引用発明のこのような制御は、「制御部」が上記（４）に記載した「制御部」と同一であるか否かは別として、本願補正発明の「制御部は、前記制御命令が受信された場合、前記受信された制御命令が前記他のコンテンツビューに影響を及ぼす場合でも、前記制御命令に同意する応答信号が受信されると、前記制御命令に対応する制御動作を行うこと」である点で共通する。
（６）引用発明の「表示制御装置は、一実施例として、テレビジョン受像機に適用され」るものであって、一実施例として適用された「テレビジョン受像機」は、本願補正発明の「ディスプレイ装置」に相当する。
　すると、本願補正発明と引用発明とは、次の＜一致点＞及び＜相違点＞を有する。  
　 
＜一致点＞  
「複数のコンテンツビューを出力するディスプレイ部と、
　遠隔制御装置から制御命令を受信する遠隔制御信号受信部と、
　前記遠隔制御信号から前記複数のコンテンツビューのうちの一つのコンテンツビューを制御するための制御命令が受信されると、受信された制御命令が他のコンテンツビューに影響を与えるか否かに応じて、前記制御命令に対応する制御動作または前記制御命令の入力事実を報知するメッセージを前記他のコンテンツビューに表示する動作を選択的に行う制御部と
　を含み、制御部は、前記制御命令が受信された場合、前記受信された制御命令が前記他のコンテンツビューに影響を及ぼす場合でも、前記制御命令に同意する応答信号が受信されると、前記制御命令に対応する制御動作を行うことを特徴とするディスプレイ装置。」
　
　
＜相違点＞  
（ア）複数のコンテンツビューを出力するディスプレイ部について、本願補正発明は、「複数の映像フレームを用いて」いるのに対し、引用発明は、このような特定がない点。
　
（イ）本願補正発明は、前記受信された制御命令が前記他のコンテンツビューに影響を及ぼす場合でも、前記制御命令に同意する応答信号が受信されると、前記制御命令に対応する制御動作を行う「前記」制御部は、前記制御命令に対応する制御動作または前記制御命令の入力事実を報知するメッセージを前記他のコンテンツビューに表示する動作を選択的に行う「制御部」であるのに対し、引用発明においては、「ＯＳＤコントローラ１３を制御」する制御部が、「視聴者Ｂがリモコン送信機２０Ｂの所定のボタンを操作して「１．Ｙｅｓ」が選択された場合に視聴者Ａの要求に応じた画像処理が行われるようにする」（本願補正発明の「前記制御命令が受信された場合、前記受信された制御命令が前記他のコンテンツビューに影響を及ぼす場合でも、前記制御命令に同意する応答信号が受信されると、前記制御命令に対応する制御動作を行うこと」に相当。）制御を行っているのか不明な点。
４　判断  
　  
＜相違点＞（ア）について  
　複数の映像フレームを用いて複数のコンテンツビューを出力する典型的なディスプレイ装置である、シャッタ式眼鏡を用いた映像表示装置は、例えば引用例２に記載されているように周知技術であるところ（上記２（２））、
  引用発明は、「リモコン送信機２０Ａ又はリモコン送信機２０Ｂから受け取ったリモコン信号が、電源オフ、バックライトの調光等の共有項目に該当するリモコンコードである場合、リモコン送信機２０Ａ又はリモコン送信機２０Ｂを操作していない視聴者Ａ又は視聴者Ｂが視聴している画面のみにそのリモコンコードの内容をＯＳＤ表示させる」ようにするものであって、このような表示は、シャッタ式眼鏡であるか否かに関わらずなし得ることは、当業者が普通に理解することができるものである。
　そして、引用発明は、「デュアルビュー表示における画面を介して視聴者同士で相互に情報を伝達する表示制御装置」において「一実施例として、テレビジョン受像機に適用され」るものであるから、ディスプレイ装置として周知なテレビジョン受像機に代えて、同じく周知なシャッタ式眼鏡を用いた映像表示装置（上記２（２））に適用することは、当業者が容易に想到し得る事項である。
　したがって、本願補正発明の＜相違点＞（ア）に係る構成とすることは格別なことではない。
＜相違点＞（イ）について 　 
　引用発明は、上記３（５）に記載したように「視聴者Ａによるリモコン送信機２０Ａからのリモコン信号のリモコンコードが、共有項目のいずれかに該当すると判断された場合であっても、視聴者Ｂがリモコン送信機２０Ｂの所定のボタンを操作して「１．Ｙｅｓ」という同意が選択されると、視聴者Ａによるリモコン送信機２０Ａからのリモコン信号のリモコンコードに応じた制御がなされるといえ」、このような制御を行う制御部を、引用発明における「ＯＳＤコントローラ１３を制御」する制御部においても行うことは、制御部において種々の制御を行うことはごく普通の事項であることに鑑みれば、当業者が適宜なし得る事項である。
　したがって、本願補正発明の＜相違点＞（イ）に係る構成とすることは格別なことではない。
　そして、上記相違点を総合的に判断しても、本願補正発明が奏する効果は引用発明及び周知技術から当業者が十分に予測できたものであって格別なものとはいえない。  
　
　よって、本願補正発明は、引用発明及び周知技術に基づいて当業者が容易に発明をすることができたものであるから、特許法第２９条第２項の規定により特許出願の際独立して特許を受けることができない。  
　  
　  
５　本件補正についてのむすび  
　  
　以上のとおり、本件補正は、特許法第１７条の２第６項で準用する同法第１２６条第７項の規定に違反するので、同法第１５９条第１項の規定において読み替えて準用する同法第５３条第１項の規定により却下すべきものである。  
　
　
第３　本願発明について  
　  
１　本願発明  
　  
　平成２６年１２月１５日付けの手続補正は上記のとおり却下されたので、本願の請求項１に係る発明（以下「本願発明」という。）は、上記「第２［理由］１　」の本件補正前の「請求項１」として記載したとおりのものである。  
　  
２　引用例  
　  
　原査定の拒絶の理由で引用された引用例及びその記載事項は、上記「第２［理由］２　引用例及びその記載事項」に記載したとおりである。  
　  
３　対比・判断  
　  
　本願発明は、本願補正発明から、上記「第２　１本件補正」で検討した本件補正に係る限定を削除するものである。
　そうすると、本願発明の特定事項を全て含み、更に他の特定事項を付加したものに相当する本願補正発明が前記「第２　［理由］　４　判断」に示したとおり、引用発明及び周知技術に基づいて、当業者が容易に発明をすることができたものであるから、本願発明も、同様の理由により、引用発明及び周知技術に基づいて当業者が容易に発明をすることができたものである。
 　  
４　むすび  
　  
　以上のとおり、本願発明は、特許法第２９条第２項の規定により特許を受けることができないものであるから、その余の請求項に論及するまでもなく、本願は拒絶すべきものである。  
　  
　よって、結論のとおり審決する。